(57)【要約】【課題】  簡単な操作によって使用形態を変更させることのできる、個人用の居住家屋に好適な多様性に富むブラインドを提供する。【解決手段】  上方のヘッドボックス２と下方のボトムレール３間に、昇降用コード５，５の操作によってブラインド主体４を昇降自在に取付け、前記昇降用コード５，５と係合するストッパー７によってブラインド主体２を所定位置に保持するよう構成したブラインド１において、前記ストッパー７を、ヘッドボックス２の一方の端部近傍に対称的に２個設け、昇降用コード５，５を挿通するストッパー７ａ又は７ｂを選択することにより、ブラインド主体４を左右反転させて使用可能なように構成する。【選択図】      図３
2005076422.tif 000002
【特許請求の範囲】
【請求項１】
上方のヘッドボックスと下方のボトムレール間に、昇降用コードの操作によってブラインド主体を昇降自在に取付け、前記昇降用コードと係合するストッパーによってブラインドを所定位置に保持するよう構成したブラインドにおいて、
前記ストッパーを、ヘッドボックスの一方の端部近傍に対称的に２個設け、昇降用コードを挿通するストッパーを選択することにより、ブラインド主体を左右反転させて使用可能なように構成したこと
特徴とするブラインド。
【請求項２】
前記ブラインド主体は、
１枚のシートを上下方向に折り畳むプリーツブラインドであること
を特徴とする請求項１に記載のブラインド。
【請求項３】
前記ヘッドボックス、ボトムレールおよびブラインド主体は、
易切断性の素材からなること
を特徴とする請求項１又は２に記載のブラインド。
【請求項４】
前記易切断性の素材は、
プラスチック、木、繊維または紙であること
を特徴とする請求項３に記載のブラインド。
【請求項５】
前記ヘッドボックス、ボトムレールは、
木質材で形成され、またブラインド主体が紙質材から構成されていること
を特徴とする請求項１に記載のブラインド。
【発明の詳細な説明】
【技術分野】
【０００１】
この発明は、ブラインド、より具体的には、個人用の居住家屋に好適に用いられるプリーツブラインドに関するもので、家屋内装技術に関するものである。
【背景技術】
【０００２】
ブラインドやカーテンは、日差しや視線を遮るものとして、古くから内装部材として用いられてきたものであるが、それらのうち、折り畳み式、すなわち、プリーツブラインドに関するものについての例を示すと、以下のとおりである。
【０００３】
古くは、特公昭３８−１５５９２号公報（特許文献１）に見られるように、ブラインドを多数のヒダを有する１枚の織物によって構成し、織物シートの両縁部が摺動可能なバーに支承されるものが知られている。また、特公昭６３−４０９１２号公報（特許文献２）には、継目の無い状態で横方向に延びる上下多数の折りひだを備えた、紙あるいは合成樹脂シートからなるスクリーンシート片によって折り畳み式ブラインドを調製することも古くに提案されている。
【０００４】
また、最近では、特開２００１−１７３３４０号公報（特許文献３）においては、ブラインドそのものに関して、例えば、紙を蛇腹状に複数回折り畳んだ後、上端部の複数箇所に窓枠用固定具を固着して、横型に使用する紙ブラインドが提案され、また、ブラインドの部品取付装置や部品取付方法（特許文献４参照）、昇降コードストッパー（特許文献５参照）など周辺技術への提案も数多くなされている。
【特許文献１】特公昭３８−１５５９２号公報（第１頁左欄）
【特許文献２】特公昭６３−４０９１２号公報（特許請求の範囲、第３欄）
【特許文献３】特開２００１−１７３３４０号公報（特許請求の範囲）
【特許文献４】特開２００２−１４７１４４号公報（特許請求の範囲）
【特許文献５】特開２００３−２４２０８号公報（特許請求の範囲）
【発明の開示】
【発明が解決しようとする課題】
【０００５】
ブラインドは、過密に近い状態で存在する事務所、オフィスにおける住環境や職場環境を良好なものに維持するために、不可欠なものとされ、幅広く、殆どの場所で採用され、その規格化も図られているが、実際的には、各事務所、オフィスの構造が、それぞれ独自性を有するため、既製品で対応することが困難なことが多く、注文生産が主体とならざるを得ず、ブラインドの多くは、注文に応じて、それぞれの事務所、オフィスの構造に適したものを生産しているのが現状である。
【０００６】
一方、個人用の居住家屋に関していえば、その多様性は、事務所、オフィス等に比してさらに大きく、規格化、既製品化がより困難で、製品として販売されているものも、適用範囲が狭いため大量生産によるコスト低減が図れず、高価格なものとなっている。したがって、同様の理由から、多種類化することにも限界があり、使用することに対する意欲を湧かせるものを作り出しえていないのが現状である。
【０００７】
さらに、個人用の居住家屋に関していえば、多様化、個性化が更に進む傾向にあり、規格品、しかも高価格の規格品を使用する度合いは確実に減少すると思われ、それにしたがって、製品の種類も減少することになり、市販ブラインドの品揃えの貧弱化、使用率低下に輪をかけている。
【０００８】
他方、居住環境に関して、個性化を求める消費者のなかには、種々の内装材を手作りすることを考える人もあり（ＤＩＹ）、日曜大工の増加傾向にあるが、ブラインドに関して云えば、それらの人々に適切な材料となるものを提供することも殆ど考えられていないのが現状である。
【０００９】
この発明はかかる現状に鑑み、簡単な操作によって使用形態を変更させることのできるブラインドを提供せんとするものである。
【課題を解決するための手段】
【００１０】
前記目的を達成するため、この発明の請求項１に記載の発明は、
上方のヘッドボックスと下方のボトムレール間に、昇降用コードの操作によってブラインド主体を昇降自在に取付け、前記昇降用コードと係合するストッパーによってブラインドを所定位置に保持するよう構成したブラインドにおいて、
前記ストッパーを、ヘッドボックスの一方の端部近傍に対称的に２個設け、昇降用コードを挿通するストッパーを選択することにより、ブラインド主体を左右反転させて使用可能なように構成したこと
特徴とするブラインドである。
【００１１】
また、この発明の請求項２に記載の発明は、
請求項１に記載のブラインドにおいて、
前記ブラインド主体は、
１枚のシートを上下方向に折り畳むプリーツブラインドであること
を特徴とするものである。
【００１２】
また、この発明の請求項３に記載の発明は、
請求項１又は２に記載のブラインドにおいて、
前記ヘッドボックス、ボトムレールおよびブラインド主体は、
易切断性の素材からなること
を特徴とするものである。
【００１３】
また、この発明の請求項４に記載の発明は、
請求項３に記載のブラインドにおいて、
前記易切断性の素材は、
プラスチック、木、繊維または紙であること
を特徴とするものである。
【００１４】
また、この発明の請求項５に記載の発明は、
請求項１に記載のブラインドにおいて、
前記ヘッドボックス、ボトムレールは、
木質材で形成され、またブラインド主体が紙質材から構成されていること
を特徴とするものである。
【発明の効果】
【００１５】
この発明のブラインドは、ヘッドボックスの端部近傍にブラインド主体の昇降用コードのストッパーが対称的に２個、それぞれ独立に、あるいは一体化されて設けられているので、いずれかのストッパーを選択して昇降用コードを挿通することによって、ブラインド主体を左右反転させることができるので、適用する家屋の構造による制限があっても、また、使用者の嗜好に応じて、ブラインド主体を昇降させるためのコードを、ブラインドの左端又は右端のいずれにも設定することができ、多様化に対応することができる。
【００１６】
その際、スラットまたはスクリーンからなるブラインド主体の、両面の色や模様などを異ならせておくことによって、好みに応じて、使用面を選択し変化を楽しむことができるものとすることができる。
【００１７】
さらに、ブラインドを構成するヘッドボックス、ボトムレールおよびブラインド主体を易切断性の素材、特には、ヘッドボックスおよびボトムレールを木質材で、ブラインド主体を紙質材とすると、適用する窓等の巾に応じて、あるいは使用者の好みに応じて、それらを切断して、使用することができ、さらに高度に多様化に対応することができる。
【００１８】
このように多様化に対応することのできるこの発明のブラインドは、製品の種類や品揃えを、多様性の要求に応えながら少なくすることができるもので、結果としてコストの低減が図られ、消費者に価格の安い製品を提供することを可能とする。
【発明を実施するための最良の形態】
【００１９】
以下、この発明のブラインドの詳細を添付の図面を参照しながら説明するに、図１はこの発明のブラインドの斜視図、図２はこの発明のブラインドを構成するストッパーの拡大正面図、図３は図１に示すブラインの一部切欠き平面図である。
【００２０】
この発明において、ブラインド１は、図１で明らかなように、上部のヘッドボックス２と下部のボトムレール３との間に、１枚のシートをプリーツ状に形成して折り畳み自在としてブラインド主体４から構成されているもので、前記ヘッドボックス２に形成された左右対称の２地点から昇降用コード５，５を、それぞれブラインド主体４の形成された透孔６，６・・・を挿通させ、その基端部をボトムレール３の所要部位に固着するとともに、各昇降用コード５，５の先端部を、図２に示すように、それぞれヘッドボックス２の一端部近傍に設けたストッパー７を構成するガイドローラ８とこのガイドローラ８に対して接離自在に設けられた係止ローラ９間に挿通させたのち、ヘッドボックス２外に引き出し、その先端部をコードイコライザー１０内において結束させたものである。
【００２１】
なお、図中１２は、係止用ロール９の脱落防止用柵である。
【００２２】
前記コードイコライザー１０は、中央部で上下に分離可能な紡錘形状を有し、その内部には前記のように上方の挿通孔からは各昇降用コード５，５の先端部が引き込まれ、下方の挿通孔からは操作用コード１１の一端が引き込まれ、操作用コード１０又は２本の昇降用コード５，５を同時にガイドローラ８側に移動させると、ガイドローラ８と係止ローラ９間の係合が解除され、２本の昇降用コード５，５がフリーの状態となるので、ブラインド主体２もフリーの状態となる。また、係止ローラ９側に移動させると、ガイドローラ８に係止ローラ９が圧接して昇降用コード５，５を挟持し、その昇降が阻止されてブラインド主体２は所定の位置に係止されるものである。
【００２３】
かかる構成において、この発明は図３に示すように、ヘッドボックス２のいずれか一方の端部近傍内に、回転自在に支承されたガイドローラ８と、このガイドローラ８に対して接離自在に配される係止ローラ９から構成される２つのストッパー７ａ，７ｂを、前後対称となるように配設したものである。
【００２４】
図３においては、昇降用コード５，５は手前側のストッパー７ａを構成するガイドローラ８と係止ローラ９との間に挿通されているので、この場合には操作の利便性から昇降用コード５，５はブラインド主体４の前面、すなわちブラインド１の右側にある。
【００２５】
しかしながら、この状態でブラインド１を左右反転させると、昇降用コード５，５はブラインド主体２の裏面側に位置し、ブラインド主体２を昇降させることはきわめて不便な状態となる。
【００２６】
そこで、図３の点線で表されるように、昇降用コード５，５を後方に配置したストッパー７ｂに挿通させてブラインド１を左右反転させると、ブラインド１の左側に昇降用コード５，５が垂下し、ブラインド１の長手方向の左側面が室内側となり、ブラインド１の左側で開閉操作が行なわれることになる。
【００２７】
このように、ストッパー７ａ，７ｂをヘッドボックス２内の一端部に前後方向において対称となるように２個形成させて、いずれかのストッパー７ａまたは７ｂに昇降用コード５，５を切り換えるには、コードイコライザー１０を上下に分離し、コードイコライザー１０内における昇降用コード５，５相互の結束を解き、昇降用コード５，５をコードイコライザー１０から引き出し、かつストッパー７ａとの係合を解除したのち、各昇降用コード５，５をストッパー７ｂのガイドローラ８と係止ローラ９間に挿通させたのち、ヘッドボックス２外に引き出し、各先端部を再びコードイコライザー１０内に引き込み、コードイコライザー１０において相互に結束することによってコードイコライザー１０と一体化させるものである。
【００２８】
なお、図３において、符号１２，１２は昇降用コード５，５を、それぞれブラインド主体２に沿って垂下させるためのガイドロールである。
【００２９】
また、この発明において、前記構成を有するブラインド１の材質については、格別に限定されるものではないが、ヘッドボックス２、ボトムレール３およびブラインド主体４の材質を易切断性のものとすることによって、適用する窓等の巾に応じて、あるいは使用者の好みに応じて、それらを切断して、例えば、図１に示されるブラインド１の左端部を切り落として、長さを調節して使用することができるので好ましく、多様性の要望にも応え得るものである。
【００３０】
易切断性の材質とは、カッターナイフや鋸等での切断が容易にできるものを意味し、プラスチック、木、繊維または紙などからなるもので、プラスチックなどで切断し難くなるものは、発泡剤を用いて発泡体とすることによって、あるいは木屑などの充填材を混入して合成木材化して、易切断性として用いることができる。
【００３１】
特に、この発明のブラインドにおいては、ヘッドボックス、ボトムレールが木板、合板、合成木材などの木質材、ブラインド主体が紙、合成紙などの紙質材から構成されているものが、調製の容易さ、切断加工の容易性、さらには価格面から好ましいものである。
【００３２】
以上、この発明に特に適したプリーツブラインドに基づいて、この発明を詳細に説明したが、この発明はプリーツブラインドに限らず、多数のスラットを有する通常のブラインドや、ローマンシェードタイプのブラインドにも適用できるものである。
【産業上の利用可能性】
【００３３】
この発明のブラインドは、特に個人用の居住家屋に好適に用いられるもので、建材、特に内装材製造業、より詳細にはブラインド製造業において広く利用される可能性の高いものである。
【図面の簡単な説明】
【００３４】
【図１】図１はこの発明のブラインドの斜視図である。
【図２】図２はこの発明のブラインドを構成するストッパーの拡大正面図である。
【図３】図３は図１に示すブラインの一部切欠き平面図である。
【符号の説明】
【００３５】
１      ブラインド
２      ヘッドボックス
３      ボトムレール
４      ブラインド主体
５      昇降用コード
６      透孔
７      ストッパー
８      ガイドローラ
９      係止ローラ
１０      コードイコライザー
１１      操作用コード
１２      脱落防止用柵
１３      ガイドローラ
【図１】
2005076422.tif 000003
【図２】
2005076422.tif 000004
【図３】
2005076422.tif 000005